(57)【要約】【課題】  本発明は、ディスプレイ装置及びその制御方法を提供する。【解決手段】  このディスプレイ装置は、ディスプレイ部と、前記ディスプレイ部に表示するＵＩ情報を生成するＵＩ生成部と、タッチパッドを含むユーザ入力部と、複数の選択項目を含む少なくとも一つの項目ページを前記ディスプレイ部に表示し、ユーザ入力部からのタッチ移動に対応してフォーカスを前記選択項目上で移動させ、前記フォーカスが、前記複数の選択項目のうち、前記項目ページの最外縁に位置する最外端選択項目に位置すると、前記フォーカスの移動が止まるように前記ＵＩ生成部を制御する制御部と、を含む。【選択図】図６
2012009007.tif 000002
【特許請求の範囲】
【請求項１】
ディスプレイ部と、
前記ディスプレイ部に表示するＵＩ情報を生成するＵＩ生成部と、
タッチパッドを含むユーザ入力部と、
複数の選択項目を含む少なくとも一つの項目ページを前記ディスプレイ部に表示し、ユーザ入力部からのタッチ移動に対応してフォーカスを前記選択項目上で移動させ、前記フォーカスが、前記複数の選択項目のうち、前記項目ページの最外縁に位置する最外端選択項目に位置すると、前記フォーカスの移動が止まるように前記ＵＩ生成部を制御する制御部と、
を含むことを特徴とするディスプレイ装置。
【請求項２】
前記制御部は、前記フォーカスが前記最外端選択項目に位置する時、ユーザが前記タッチパッドの接触を止め、以降タッチ移動が発生すると、前記フォーカスを移動させることを特徴とする、請求項１に記載のディスプレイ装置。
【請求項３】
前記制御部は、ユーザが前記タッチパッドの接触を止める前に発生させたタッチ移動による第１方向と、ユーザが前記タッチパッドの接触を止めた後に再び接触して発生させたタッチ移動による第２方向とが一致するか否か判断し、
前記第１方向及び前記第２方向が一致すると判断されると、前記項目ページを前記第１方向または第２方向に移動させるように前記ＵＩ生成部を制御することを特徴とする、請求項２に記載のディスプレイ装置。
【請求項４】
前記複数の選択項目が格子状に配列されていることを特徴とする、請求項１に記載のディスプレイ装置。
【請求項５】
前記制御部は、ユーザのタッチ移動距離及び移動速度に基づいて前記フォーカスが前記複数の選択項目上を移動するように前記ＵＩ生成部を制御することを特徴とする、請求項１に記載のディスプレイ装置。
【請求項６】
前記ユーザ入力部は、前記制御部と遠隔で通信することを特徴とする、請求項１に記載のディスプレイ装置。
【請求項７】
複数の選択項目を含む少なくとも一つの項目ページを表示するディスプレイ装置の制御方法であって、
ユーザのタッチ移動に対応して前記複数の選択項目上を移動しているフォーカスが、前記複数の選択項目のうち、前記項目ページの最外縁に位置する最外端選択項目に位置するか否か判断する段階と、
判断の結果、前記フォーカスが前記最外端選択項目に位置すると、前記フォーカスの移動を止める段階と、
を含むことを特徴とする、ディスプレイ装置の制御方法。
【請求項８】
ユーザがタッチパッドの接触を止めた後、再びタッチ移動が発生すると、前記フォーカスを移動させる段階をさらに含むことを特徴とする、請求項７に記載のディスプレイ装置の制御方法。
【請求項９】
ユーザが前記タッチパッドの接触を止める前に発生させたタッチ移動による第１方向と、ユーザが前記タッチパッドの接触を止めた後に再び接触して発生させたタッチ移動による第２方向とが一致するか否か判断する段階と、
前記第１方向及び前記第２方向が一致すると判断されると、前記項目ページを第１方向または第２方向に移動させる段階と、
をさらに含むことを特徴とする、請求項８に記載のディスプレイ装置の制御方法。
【発明の詳細な説明】
【技術分野】
【０００１】
本発明は、ディスプレイ装置及びその制御方法に係り、特に、複数のアイコンを含むＵＩを表示するディスプレイ装置及びその制御方法に関するものである。
【背景技術】
【０００２】
ディスプレイ装置または各種のＡＶ機器を制御するためのユーザインターフェースツールに、通常、方向ボタン、ジョイスティック、キーボードなどが用いられ、ユーザは、これらのツールを操作してフォーカスを移動させたり所望の選択項目を選択したりすることができる。
【０００３】
このような方法では、ユーザがボタンを一度クリックする度にフォーカスが１セルずつ移動し、ボタンまたはジョイスティックを一定時間押し続くと、フォーカスが複数のセルを移動する制御が可能である。
【０００４】
最近では、タッチパッドまたはタッチスクリーンのようなタッチセンサーベースのデバイスを使用することによって、ユーザは、指またはポインティングデバイスを用いてより便利で迅速にフォーカスを移動させたりＧＵＩを制御したりすることが可能になった。
【発明の概要】
【発明が解決しようとする課題】
【０００５】
本発明の一目的は、項目ページを適切に切り替えることができるディスプレイ装置及びその制御方法を提供することにある。
【０００６】
また、本発明の他の目的は、選択項目を容易にブラウジングできるディスプレイ装置及びその制御方法を提供することにある。
【０００７】
また、本発明のさらに他の目的は、タッチ移動に対応して項目ページ単位に止まるように制御することによってユーザの意思を確認することができるディスプレイ装置及びその制御方法を提供することにある。
【課題を解決するための手段】
【０００８】
上記目的を達成するために、本発明の一実施例に係るディスプレイ装置は、ディスプレイ部と、前記ディスプレイ部に表示するＵＩ情報を生成するＵＩ生成部と、タッチパッドを含むユーザ入力部と、複数の選択項目を含む少なくとも一つの項目ページを前記ディスプレイ部に表示し、ユーザ入力部からのタッチ移動に対応してフォーカスを前記選択項目上で移動させ、前記フォーカスが、前記複数の選択項目のうち、前記項目ページの最外縁に位置する最外端選択項目に位置すると、前記フォーカスの移動が止まるように前記ＵＩ生成部を制御する制御部と、を含む構成とする。
【０００９】
前記制御部は、前記フォーカスが前記最外端選択項目に位置する時に、ユーザが前記タッチパッドの接触を止め、以降タッチ移動が発生すると、前記フォーカスを移動させることができる。
【００１０】
前記制御部は、ユーザが前記タッチパッドの接触を止める前に発生させたタッチ移動による第１方向と、ユーザが前記タッチパッドの接触を止めた後に再び接触して発生させたタッチ移動による第２方向とが一致するか否か判断し、前記第１方向及び前記第２方向が一致すると判断されると、前記項目ページを前記第１方向または第２方向に移動させるように前記ＵＩ生成部を制御することができる。
【００１１】
好適には、前記複数の選択項目は格子状に配列されている。
【００１２】
前記制御部は、ユーザのタッチ移動距離及び移動速度に基づいて前記フォーカスが前記複数の選択項目上を移動するように前記ＵＩ生成部を制御することができる。
【００１３】
前記ユーザ入力部は、前記制御部と遠隔で通信することができる。
【００１４】
上記目的を達成するために、本発明の一実施例に係るディスプレイ装置の制御方法は、複数の選択項目を含む少なくとも一つの項目ページを表示するディスプレイ装置の制御方法であって、ユーザのタッチ移動に対応して前記複数の選択項目上を移動しているフォーカスが、前記複数の選択項目のうち、前記項目ページの最外縁に位置する最外端選択項目に位置するか否か判断する段階と、判断の結果、前記フォーカスが前記最外端選択項目に位置すると、前記フォーカスの移動を止める段階と、を含むことを特徴とする。
【００１５】
上記方法は、ユーザがタッチパッドの接触を止めた後、再びタッチ移動が発生すると前記フォーカスを移動させる段階をさらに含むことができる。
【００１６】
上記方法は、ユーザが前記タッチパッドの接触を止める前に発生させたタッチ移動による第１方向と、ユーザが前記タッチパッドの接触を止めた後に再び接触して発生させたタッチ移動による第２方向とが一致するか否か判断する段階と、前記第１方向及び前記第２方向が一致すると判断されると、前記項目ページを第１方向または第２方向に移動させる段階と、をさらに含むことができる。
【発明の効果】
【００１７】
以上説明したように、本発明のディスプレイ装置及びその制御方法によれば、項目ページを適切に切り替えることができる。
【００１８】
また、本発明のディスプレイ装置及びその制御方法によれば、容易に選択項目をブラウジングすることができる。
【００１９】
また、本発明のディスプレイ装置及びその制御方法によれば、タッチ移動に対応して項目ページ単位に止まるように制御することによってユーザの意思を確認することができる。
【図面の簡単な説明】
【００２０】
【図１】本発明の一実施例によるディスプレイ装置の制御ブロック図である。
【図２】本発明の一実施例によるディスプレイ装置に表示されるＵＩ情報とタッチパッドを示す図である。
【図３】図２のタッチパッドとディスプレイ装置に表示されているＵＩ情報においてフォーカスを移動させる方法を説明するための図である。
【図４】図３においてフォーカスが最外縁で停止する方法を説明するための図である。
【図５】図２においてフォーカスが項目ページを移動する方法を説明するための図である。
【図６】本発明の一実施例によるディスプレイ装置の制御方法を説明するためのフローチャートである。
【図７】本発明の他の実施例によるディスプレイ装置の制御ブロック図である。
【発明を実施するための形態】
【００２１】
以下、添付の図面を参照しつつ、本発明の実施例について、本発明の属する技術の分野における通常の知識を有する者が容易に実施できるように詳細に説明する。本発明は、様々な形態に具体化することができるもので、以下に説明される実施例に限定されるものではない。本発明を明確に説明するために、説明と関連していない部分は省略し、明細書全体を通じて同一のまたは類似の構成要素には同一の参照符号を付ける。
【００２２】
図１は、本発明の一実施例によるディスプレイ装置を示す制御ブロック図である。
【００２３】
ディスプレイ装置１００は、ディスプレイ部１０、ＵＩ生成部２０、ユーザ入力部３０、ユーザ入力部３０から信号を受信する信号受信部４０、これらを制御する制御部５０を含む。ディスプレイ装置１００は、インターネットを通じてサービスを受けることができるＩＰ  ＴＶとすることもでき、モニターまたはスクリーンなどのようなディスプレイ部を含むコンピュータシステム、ノートパソコン、各種のＡＶ機器とすることもできる。また、ディスプレイ装置１００は、ネットブック、各種のモバイル端末機、電子ブック（Ｅ−ｂｏｏｋ）用のデバイスなどとすることもできる。ディスプレイ装置１００は、外部のコンテンツプロバイダーから提供される情報を受信する通信部（図示せず）をさらに含むことができる。
【００２４】
ディスプレイ部１０は、液晶層を含む液晶パネル、有機物で構成された発光層を含む有機発光パネル、プラズマ表示パネルなどを含むことができ、当該パネルを駆動するパネル駆動部（図示せず）を含むことができる。ディスプレイ部１０は、放送信号、写真のような静止映像、各種の動映像を表示することができ、ＵＩ生成部２０が提供するＵＩ情報を表示する。また、ディスプレイ部１０は、放送プログラム情報に対応するＥＰＧ及びコンテンツプロバイダーから提供されたコンテンツ及びアプリケーションをアイコンの形態で表示することができる。
【００２５】
ディスプレイ装置１００は、入力される映像を処理してディスプレイ部１０に出力する映像処理部（図示せず）をさらに含むことができる。
【００２６】
ＵＩ生成部２０は、ユーザに提供する各種のＵＩ情報を生成してディスプレイ部１０に表示する。図２は、ＵＩ生成部２０で生成されたＵＩ情報を示す図である。本実施例によれば、ユーザが選択できる各種の項目は、選択項目Iであり、ＵＩ生成部２０は、既に設定された個数の選択項目Iをディスプレイ部１０に表示する。既に設定された個数の選択項目Iは、一つの項目ページII単位でディスプレイ部１０に表示され、項目ページIIは連続してブラウジングすることができる。例えば、複数の項目ページを、一つの項目ページずつ特定時間の間に次々とディスプレイ部１０に表示されるようにスクロールすることができる。図示のように、現在の項目ページIIの左側には以前項目ページII’が、右側には次の項目ページII”が続いている。本実施例による選択項目Iは、格子状に配列されており、一つの項目ページII中に５×４のマトリクス状に表示されている。現在項目ページIIの最外縁に位置する選択項目を最外端選択項目I’と定義する。上述したように、ウィジェット（ｗｉｄｇｅｔ）のようなアプリケーションが選択項目Iとして表示されることができる。ユーザは、後述するユーザ入力部３０を介して項目ページIIを選択することもでき、現在表示されている項目ページIIに含まれている選択項目Iを選択することもできる。選択項目Iのうちの一つに、ユーザの指示及び選択のためのフォーカスＦが表示されている。フォーカスＦは、ユーザにより選択された選択項目Iとユーザにより選択されなかった別の選択項目Iとを識別するためのもので、例えば、特定色相を持つフレームで表示することもでき、選択項目Iをハイライトさせる形式で表示することもできる。
【００２７】
このようなＵＩ生成部２０は、後述する制御部５０に統合（ｍｅｒｇｅ）して一体の構成とすることができる。ＵＩ生成部２０は、説明の便宜上、別の構成として説明されているもので、物理的に別の構成要素として分離しているものを意味するわけではない。
【００２８】
ユーザ入力部３０は、ユーザ入力のためのユーザインターフェースに対応するもので、本実施例では、制御部５０と遠隔で通信する遠隔制御装置とすることができる。ユーザ入力部３０は、ユーザのタッチを感知できるタッチパッド３１を含み、複数のボタン３３をさらに含むことができる。タッチパッド３１は、ユーザがユーザ入力部３０を片手に持った時に容易にタッチができるような位置とし、少なくとも一つを含むことができる。タッチパッド３１の下部には一つのタクトスイッチ（ｔａｃｔ  ｓｗｉｔｃｈ）を設けることができ、ユーザは、タッチ移動によって複数の選択項目I間を移動し、タクトスイッチをプッシュすることでフォーカスＦの位置している選択項目Iを選択することができる。ユーザは、タッチパッド３１上で様々な操作をすることができ、例えば、タッチ移動（ｍｏｖｅ）、タッチパッドを軽く打つタップ動作（ｔａｐ）、タップより強く打つクリック、ダブルクリック、ドラッグアンドドロップなどを行うことができる。ユーザ入力部３０は、家庭でテレビを制御するためのリモコンとすることもでき、その開発が活発になされているデュアルテレビとすることもできる。すなわち、ユーザ入力部３０は、メインテレビを制御するためにディスプレイ部及びタッチパッドを含む補助テレビとすることもでき、遠隔制御機能を持つ携帯用電話機とすることもできる。
【００２９】
信号受信部４０は、遠隔のユーザ入力部３０からの信号を受信して制御部５０に出力する。信号受信部４０は、ＩＲ信号を受信できる通信モジュールとすることができる。
【００３０】
制御部５０は、ＵＩ生成部２０を制御して、図２に示すように、既に設定された個数の選択項目Iを含む項目ページIIをディスプレイ部１０に表示し、ユーザの操作に応じてフォーカスＦが移動し、項目ページIが表示されるようにする。
【００３１】
図３は、図２のＵＩ情報においてフォーカスを移動する方法を説明するための図である。制御部５０は、ユーザのタッチ移動距離及び移動速度に基づいてフォーカスＦが選択項目I上を移動するように制御する。例えば、のろい速度でタッチが移動すると、フォーカスＦはタッチ移動方向に沿ってゆっくりと選択項目I上を移動し、速い速度でタッチが移動すると、該速度に比例してフォーカスＦは多くの距離を移動する。
【００３２】
また、制御部５０は、ユーザのタッチ移動に対応して選択項目I上を移動しているフォーカスＦが項目ページII上の最外端選択項目I’に位置すると止まるように、ＵＩ生成部２０を制御する。図４は、図３においてフォーカスが最外縁で止まることを説明するための図である。もし、図示のように、項目ページIIの最左側にあるフォーカスＦ（すなわち、図４のＦ’）を反対側の最外端選択項目I’上に移動させたい時、ユーザは、フォーカスＦを速い速度で移動させるためにタッチ移動速度を上げるようになることができる。しかるに、フォーカスＦを早く動かせると、フォーカスＦはユーザの所望する位置を越えて次の項目ページII”に移動してしまう可能性が高い。すなわち、単に、ユーザは多少遠く離れている選択項目I間を速い速度で移動しようとしたものの、タッチパッド３１の動作属性の上、現在の項目ページIIから次の項目ページII”へとフォーカスが移動してしまうことがある。
【００３３】
制御部５０は、このような問題点を防止するために、選択項目I上を移動しているフォーカスＦが項目ページIIの最外端選択項目I’に位置すると、この最外端選択項目I’でフォーカスＦの移動が止まるように制御する（図４のＦ”）。ただし、フォーカスＦは、最外端選択項目I’で無条件的に止まるものではなく、フォーカスＦの移動方向に対応して停止する。すなわち、タッチ移動が左側から右側方向に行われると、図４に示すように、フォーカスＦは最右端の選択項目I’上で停止する。もし、タッチ移動が上側から下側方向に行われると、フォーカスＦは、最右側の選択項目に沿って下側に移動して最下端の選択項目、すなわち、図４の右下端に位置する選択項目で止まる。もし、フォーカスＦが最下側の行に含まれている選択項目を移動する場合は、移動方向が右側から左側であるから、最外端選択項目上にフォーカスＦが位置する場合であるにもかかわらずにフォーカスは停止することく左側に移動する。このような制御によって、ユーザは、現在表示されている項目ページIIにおいて自由にフォーカスＦを移動させることができる。また、不所望に項目ページIIが切り替わることを防止することができる。
【００３４】
制御部５０は、フォーカスＦの停止後に、ユーザがタッチパッド３１で接触を止めた後に再びタッチパッド３１に接触することのように、ユーザによるタッチオフ後に再タッチ信号が受信されると、フォーカスＦを移動させる。停止しているフォーカスＦは、タッチオフが発生した後、以降のタッチ移動によって位置が変更される。
【００３５】
図５は、図２においてフォーカスが項目ページを移動すること、すなわち、項目ページの切り替えを説明するための図である。制御部５０は、タッチオフ前に発生したタッチの移動方向と再タッチ後に発生したタッチの移動方向とが一致するか否か判断し、判断の結果、これらの移動方向が一致する時、ディスプレイ部１０に表示されている項目ページIIがタッチ移動方向に切り替わるようにＵＩ生成部２０を制御する。図示のように、現在項目ページIIが次の項目ページII”に切り替わると、フォーカスＦも現在項目ページIIの最外端選択項目I’から次の項目ページII”の最外端選択項目I”へ移動する。
【００３６】
もし、タッチオフ後に、タッチオフ前の移動方向と反対方向またはオフ前の移動方向と異なる方向にタッチ移動が発生すると、制御部５０は、通常の項目ページII内におけるフォーカス移動と同様に、別の項目ページに移動せずに移動距離及び速度に基づいてフォーカスＦを移動させる。
【００３７】
図６は、本実施例によるディスプレイ装置の制御方法を説明するためのフローチャートである。図６を参照して、制御部５０によるフォーカスの移動について説明すると、下記の通りである。
【００３８】
まず、タッチの移動またはタッチが感知されると（Ｓ１０）、制御部５０は、フォーカスＦが項目ページIIの最外端選択項目I’に位置しているか否か判断する（Ｓ２０）。
【００３９】
判断の結果、フォーカスＦが項目ページIIの最外端選択項目I’に位置していないと、タッチの移動距離及び移動速度に基づいてフォーカスＦを移動させる（Ｓ３０）。
【００４０】
もし、フォーカスＦが項目ページIIの最外端選択項目I’に位置していると、制御部５０は、フォーカスＦ”を最外端選択項目I’からそれ以上移動させずに移動を停止させる（Ｓ４０）。
【００４１】
その後、ユーザによるタッチオフが発生したか否か、すなわち、ユーザがタッチパッド３１を接触しているか否か判断し（Ｓ５０）、タッチオフが発生していない場合、再びタッチが発生したか否か、すなわち、ユーザがタッチパッド３１を再び接触したか否か感知する（Ｓ１０）。
【００４２】
判断の結果、ユーザによるタッチオフが発生すると、制御部５０は、タッチオフが発生する前のタッチ移動方向を保存する（Ｓ６０）。タッチの感知されたタッチパッド３１上の座標を判断することによってタッチ移動方向を保存することができる。
【００４３】
タッチオフ後に、ユーザによるタッチ移動が感知されると（Ｓ７０）、制御部５０は、タッチ移動方向を判断してこれを保存し、この保存された移動方向とタッチオフの発生する前の移動方向とが一致するか否か判断する（Ｓ８０）。両移動方向が一致するか否かは、左から右への方向、右から左への方向、上から下への方向、下から上への方向のように、上下左右への移動方向が以前のそれと一致するか否かによって判断することもでき、より精密な基準によって判断することもできる。移動方向の一致度合いは、タッチパッド３１の大きさ及び感知度合いなどによってそれぞれ調節されることもでき、ユーザによって設定されることもできる。
【００４４】
保存された両移動方向が一致すると、制御部５０は、項目ページIIを移動方向に切り替える（Ｓ９０）。
【００４５】
もし、タッチオフ前後のタッチ移動方向が一致しないと、タッチオフ後に発生したタッチ移動方向に沿ってフォーカスを移動させる（Ｓ３０）。
【００４６】
図７は、本発明の他の実施例によるディスプレイ装置の制御ブロック図である。図示のように、本実施例において、ユーザ入力部６０は、制御部５０と無線ではなく有線で通信し、物理的に独立している装置でなくて、ディスプレイ部１０の含まれている一つの装置内に設けられている。すなわち、ディスプレイ装置１０１は、物理的に一つのハウジングにユーザ入力部６０を含む構成を有する。例えば、ディスプレイ装置１０１は、ノートパソコン、電子ブック、ネットブックのようなモバイル端末機を含むことができる。また、別の実施例によれば、ディスプレイ装置は、デジタルカメラ、ＭＰ３プレイヤー、タブレットＰＣ、ＨＨＰ（Ｈａｎｄ  Ｈｅｌｄ  Ｐｒｏｄｕｃｔｓ）とすることもできる。本実施例によるユーザ入力部６０は、図１に示すようなリモートコントローラに限定されず、タッチパッドを含むいかなるユーザ入力装置にしても良い。ユーザ入力部６０及び制御部５０の通信によるＵＩ制御方法は、上記の実施例と実質的に同一である。
【００４７】
上述の通り、本発明は、ページ単位に選択項目を表示するディスプレイ装置に関するもので、ユーザが容易に選択項目をブラウジングできるようにする。このために、本発明のディスプレイ装置１００は、タッチ移動に対応してページ単位に止まるように制御することによってユーザの意思を確認することができるＵＩを提供する。
【００４８】
以上では本発明の具体的な実施例を図示及び説明してきたが、本発明の属する技術の分野における通常の知識を有する当業者にとっては、本発明の原則や精神を逸脱しない範囲内で様々な変形実施が可能であるということは明らかである。したがって、本発明の範囲は添付の請求項とその均等物により定められるべきである。
【符号の説明】
【００４９】
１０    ディスプレイ部
２０    ＵＩ生成部
３０    ユーザ入力部
３１    タッチパッド
３３    ボタン
４０    信号受信部
５０    制御部
１００    ディスプレイ装置
【図１】
2012009007.tif 000003
【図２】
2012009007.tif 000004
【図３】
2012009007.tif 000005
【図４】
2012009007.tif 000006
【図５】
2012009007.tif 000007
【図６】
2012009007.tif 000008
【図７】
2012009007.tif 000009